【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信の方法であって、
符号化および送信されるべきメッセージのための送信パラメータを決定することと、
前記送信パラメータに少なくとも部分的に基づいて、ワイヤレス接続のために利用可能な複数のコーディング方式から１つのコーディング方式を選択することと、
前記選択されたコーディング方式を使用して前記メッセージを符号化することと、
前記ワイヤレス接続を介して、前記符号化されたメッセージを送信することと、
ここにおいて、前記送信パラメータが前記ワイヤレス接続のデータレートを備える、
を備える、方法。
【請求項２】
前記コーディング方式の指示をユーザ機器（ＵＥ）に送信すること、ここにおいて、前記符号化されたメッセージがダウンリンクメッセージである、または、
前記コーディング方式の指示を基地局から受信すること、ここにおいて、前記メッセージがアップリンクメッセージである、
をさらに備える、請求項１に記載の方法。
【請求項３】
前記コーディング方式の前記指示が半静的指示または動的指示を備える、請求項２に記載の方法。
【請求項４】
前記送信パラメータが、復号レイテンシバジェットまたはデバイス能力、あるいはそれらの組合せをさらに備える、請求項１に記載の方法。
【請求項５】
前記コーディング方式が、競合ベーススペクトルを使用する前記ワイヤレス接続に少なくとも部分的に基づいて選択される、請求項１に記載の方法。
【請求項６】
前記複数のコーディング方式が、少なくともターボコーディング方式と低密度パリティチェックコーディング方式とを備える、請求項１に記載の方法。
【請求項７】
前記選択されたコーディング方式が、送信時間間隔の第１の部分のための前記ターボコーディング方式と、前記送信時間間隔の第２の部分のための前記低密度パリティチェックコーディング方式とを備える、請求項６に記載の方法。
【請求項８】
ワイヤレスデバイスによるワイヤレス通信の方法であって、
メッセージのための送信パラメータを決定することと、
前記送信パラメータに少なくとも部分的に基づいて、ワイヤレス接続のために利用可能な複数のコーディング方式から１つのコーディング方式を選択することと、
前記ワイヤレス接続を介して前記メッセージを受信することと、
前記選択されたコーディング方式を使用して前記メッセージを復号することと、
ここにおいて、前記送信パラメータが前記ワイヤレス接続のデータレートを備える、
を備える、方法。
【請求項９】
前記コーディング方式の指示をユーザ機器（ＵＥ）に送信すること、ここにおいて、前記メッセージがアップリンクメッセージであり、前記コーディング方式の前記指示が半静的指示または動的指示を備える、または、
前記コーディング方式の指示を基地局から受信すること、ここにおいて、前記メッセージがダウンリンクメッセージであり、前記コーディング方式の前記指示が半静的指示または動的指示を備える、
をさらに備える、請求項８に記載の方法。
【請求項１０】
前記送信パラメータが、復号レイテンシバジェット、またはデバイス能力、あるいはそれらの組合せをさらに備える、請求項８に記載の方法。
【請求項１１】
前記コーディング方式が、競合ベーススペクトルを使用する前記ワイヤレス接続に少なくとも部分的に基づいて選択される、請求項８に記載の方法。
【請求項１２】
前記選択されたコーディング方式が、少なくともターボコーディング方式と低密度パリティチェックコーディング方式とを備える、請求項８に記載の方法。
【請求項１３】
前記選択されたコーディング方式が、送信時間間隔の第１の部分のための前記ターボコーディング方式と、前記送信時間間隔の第２の部分のための前記低密度パリティチェックコーディング方式とを備える、請求項２に記載の方法。
【請求項１４】
ワイヤレス通信のための装置であって、請求項１〜請求項７のうちのいずれか一項の方法、または請求項８〜請求項１３のうちのいずれか一項の方法を実行するための手段を備える、装置。
【請求項１５】
ワイヤレス通信のためのコンピュータ可読媒体であって、請求項１〜請求項７のうちのいずれか一項の方法、または請求項８〜請求項１３のうちのいずれか一項の方法を実行するためのコードを備える、コンピュータ可読媒体。
【手続補正２】
【補正対象書類名】明細書
【補正対象項目名】０１３１
【補正方法】変更
【補正の内容】
【０１３１】
[0137]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  ワイヤレス通信の方法であって、
符号化および送信されるべきメッセージのための送信パラメータを決定することと、
前記送信パラメータに少なくとも部分的に基づいて、ワイヤレス接続のために利用可能な複数のコーディング方式から１つのコーディング方式を選択することと、
前記選択されたコーディング方式を使用して前記メッセージを符号化することと、
前記ワイヤレス接続を介して、前記符号化されたメッセージを送信することと
を備える、方法。
[Ｃ２]  前記コーディング方式の指示をユーザ機器（ＵＥ）に送信することをさらに備え、ここにおいて、前記符号化されたメッセージがダウンリンクメッセージである、
Ｃ１に記載の方法。
[Ｃ３]  前記コーディング方式の前記指示が半静的指示または動的指示を備える、Ｃ２に記載の方法。
[Ｃ４]  前記コーディング方式の指示を基地局から受信することをさらに備え、ここにおいて、前記メッセージがアップリンクメッセージである、
Ｃ１に記載の方法。
[Ｃ５]  前記コーディング方式の前記指示が半静的指示または動的指示を備える、Ｃ４に記載の方法。
[Ｃ６]  前記送信パラメータが、データレート、復号レイテンシバジェットまたはデバイス能力、あるいはそれらの組合せを備える、Ｃ１に記載の方法。
[Ｃ７]  前記コーディング方式が、競合ベーススペクトルを使用する前記ワイヤレス接続に少なくとも部分的に基づいて選択される、Ｃ１に記載の方法。
[Ｃ８]  前記複数のコーディング方式が、少なくともターボコーディング方式と低密度パリティチェックコーディング方式とを備える、Ｃ１に記載の方法。
[Ｃ９]  前記選択されたコーディング方式が、送信時間間隔の第１の部分のための前記ターボコーディング方式と、前記送信時間間隔の第２の部分のための前記低密度パリティチェックコーディング方式とを備える、Ｃ８に記載の方法。
[Ｃ１０]  ワイヤレス通信の方法であって、
メッセージのための送信パラメータを決定することと、
前記送信パラメータに少なくとも部分的に基づいて、ワイヤレス接続のために利用可能な複数のコーディング方式から１つのコーディング方式を選択することと、
前記ワイヤレス接続を介して前記メッセージを受信することと、
前記選択されたコーディング方式を使用して前記メッセージを復号することと
を備える、方法。
[Ｃ１１]  前記コーディング方式の指示をユーザ機器（ＵＥ）に送信することをさらに備え、ここにおいて、前記メッセージがアップリンクメッセージであり、前記コーディング方式の前記指示が半静的指示または動的指示を備える、
Ｃ１０に記載の方法。
[Ｃ１２]  前記コーディング方式の指示を基地局から受信することをさらに備え、ここにおいて、前記メッセージがダウンリンクメッセージであり、前記コーディング方式の前記指示が半静的指示または動的指示を備える、
Ｃ１０に記載の方法。
[Ｃ１３]  前記送信パラメータが、データレート、復号レイテンシバジェット、またはデバイス能力、あるいはそれらの組合せを備える、Ｃ１０に記載の方法。
[Ｃ１４]  前記コーディング方式が、競合ベーススペクトルを使用する前記ワイヤレス接続に少なくとも部分的に基づいて選択される、Ｃ１０に記載の方法。
[Ｃ１５]  前記選択されたコーディング方式が、少なくともターボコーディング方式と低密度パリティチェックコーディング方式とを備える、Ｃ１０に記載の方法。
[Ｃ１６]  前記選択されたコーディング方式が、送信時間間隔の第１の部分のための前記ターボコーディング方式と、前記送信時間間隔の第２の部分のための前記低密度パリティチェックコーディング方式とを備える、Ｃ１５に記載の方法。
[Ｃ１７]  ワイヤレス通信のための装置であって、
符号化および送信されるべきメッセージのための送信パラメータを決定するための手段と、
前記送信パラメータに少なくとも部分的に基づいて、ワイヤレス接続のために利用可能な複数のコーディング方式から１つのコーディング方式を選択するための手段と、
前記選択されたコーディング方式を使用して前記メッセージを符号化するための手段と、
前記ワイヤレス接続を介して、前記符号化されたメッセージを送信するための手段とを備える、装置。
[Ｃ１８]  前記コーディング方式の指示をＵＥに送信するための手段をさらに備え、ここにおいて、前記符号化されたメッセージがダウンリンクメッセージであり、前記コーディング方式の前記指示が半静的指示または動的指示を備える、
Ｃ１７に記載の装置。
[Ｃ１９]  前記コーディング方式の指示を基地局から受信するための手段をさらに備え、ここにおいて、前記メッセージがアップリンクメッセージであり、前記コーディング方式の前記指示が半静的指示または動的指示を備える、
Ｃ１７に記載の装置。
[Ｃ２０]  前記送信パラメータが、データレート、復号レイテンシバジェット、デバイス能力、またはそれらの組合せを備える、Ｃ１７に記載の装置。
[Ｃ２１]  前記コーディング方式が、競合ベーススペクトルを使用する前記ワイヤレス接続に少なくとも部分的に基づいて選択される、Ｃ１７に記載の装置。
[Ｃ２２]  前記複数のコーディング方式が、少なくともターボコーディング方式と低密度パリティチェックコーディング方式とを備える、Ｃ１７に記載の装置。
[Ｃ２３]  前記選択されたコーディング方式が、送信時間間隔の第１の部分のための前記ターボコーディング方式と、前記送信時間間隔の第２の部分のための前記低密度パリティチェックコーディング方式とを備える、Ｃ２２に記載の装置。
[Ｃ２４]  ワイヤレス通信のための装置であって、
メッセージのための送信パラメータを決定するための手段と、
前記送信パラメータに少なくとも部分的に基づいて、ワイヤレス接続のために利用可能な複数のコーディング方式から１つのコーディング方式を選択するための手段と、
前記ワイヤレス接続を介してメッセージを受信するための手段と、
前記選択されたコーディング方式を使用して前記メッセージを復号するための手段とを備える、装置。
[Ｃ２５]  前記コーディング方式の指示をユーザ機器に送信するための手段をさらに備え、ここにおいて、前記メッセージがアップリンクメッセージであり、前記コーディング方式の前記指示が半静的指示または動的指示を備える、
Ｃ２４に記載の装置。
[Ｃ２６]  前記コーディング方式の指を基地局から受信するための手段をさらに備え、ここにおいて、前記メッセージがダウンリンクメッセージであり、前記コーディング方式の前記指示が半静的指示または動的指示を備える、
Ｃ２４に記載の装置。
[Ｃ２７]  前記送信パラメータが、データレート、復号レイテンシバジェット、デバイス能力、またはそれらの組合せを備える、Ｃ２４に記載の装置。
[Ｃ２８]  前記コーディング方式が、競合ベーススペクトルを使用する前記ワイヤレス接続に少なくとも部分的に基づいて選択される、Ｃ２４に記載の装置。
[Ｃ２９]  前記複数のコーディング方式が、少なくともターボコーディング方式と低密度パリティチェックコーディング方式とを備える、Ｃ２４に記載の装置。
[Ｃ３０]  前記選択されたコーディング方式が、送信時間間隔の第１の部分のための前記ターボコーディング方式と、前記送信時間間隔の第２の部分のための前記低密度パリティチェックコーディング方式とを備える、Ｃ２９に記載の装置。